(57)【要約】本発明は、異なるコンテンツタイプ及び/または異なる符号化フォーマットを有するデータファイルを有する読取装置への挿入用の情報キャリアのコンテンツをユーザに提供するためのユーザインタフェースシステムであって、前記情報キャリアに含まれるデータファイルから、前記読取装置による前記データファイルの再生を行うための機能に従うデータファイル群を選択する選択手段と、前記選択されたデータファイルからコンテンツテーブルを前記ユーザに提供するための提供手段とを有することを特徴とするシステムに関する。
2006506882.tif 000002
【特許請求の範囲】
【請求項１】
異なるコンテンツタイプ及び/または異なる符号化フォーマットを有するデータファイルを有する読取装置への挿入用の情報キャリアのコンテンツをユーザに提供するためのユーザインタフェースシステムであって、
前記情報キャリアに含まれるデータファイルから、前記読取装置による前記データファイルの再生を行うための機能に従うデータファイル群を選択する選択手段と、
前記選択されたデータファイルからコンテンツテーブルを前記ユーザに提供するための提供手段と、
を有することを特徴とするシステム。
【請求項２】
請求項１記載のユーザインタフェースシステムであって、
前記選択手段は、前記情報キャリアに含まれる前記データファイルの符号化フォーマットと該符号化フォーマットを再生する前記読取装置の機能とを比較するための比較手段を有することを特徴とするシステム。
【請求項３】
請求項２記載のユーザインタフェースシステムであって、さらに、
コンテンツタイプに従って、前記選択されたデータファイルを分類するための分類手段を有することを特徴とするシステム。
【請求項４】
請求項３記載のユーザインタフェースシステムであって、さらに、
符号化フォーマットまたは品質基準に従って、前記選択されたデータファイルを分類するための分類手段を有することを特徴とするシステム。
【請求項５】
請求項４記載のユーザインタフェースシステムであって、さらに、
前記情報キャリアに含まれ、前記読取装置の初期機能に従って再生可能でないとみなされるデータファイルの再生を可能にするプラグインをダウンロードするためのダウンロード手段を有することを特徴とするシステム。
【請求項６】
請求項５記載のユーザインタフェースシステムであって、
前記提供手段は、前記コンテンツテーブルの設計ルールを記述するためのデータファイルに格納されているコード命令を有することを特徴とするシステム。
【請求項７】
異なるコンテンツタイプ及び/または異なる符号化フォーマットを有するデータファイルを有するための情報キャリアを読取るための装置であって、
機能と呼ばれる該装置により再生可能なデータの符号化フォーマット及びコンテンツタイプを格納するための記憶装置と、
ａ）前記情報キャリアに含まれるデータファイルから、前記機能に従う選択されたデータファイル群を選択するための手段と、ｂ）前記選択されたデータファイル群からコンテンツテーブルを提供するための手段とを有するユーザインタフェースシステムと、
を有することを特徴とする装置。
【請求項８】
請求項７記載の装置であって、
前記選択するための手段は、前記情報キャリアに含まれているデータファイルの符号化フォーマットと前記機能を比較するための手段を有することを特徴とする装置。
【請求項９】
請求項８記載の装置であって、さらに、
コンテンツタイプに従って前記選択されたデータファイルを分類するための手段を有することを特徴とする装置。
【請求項１０】
請求項９記載の装置であって、さらに、
符号化フォーマットに従って前記選択されたデータファイルを分類するための手段を有することを特徴とする装置。
【請求項１１】
請求項９または１０記載の装置であって、さらに、
品質基準に従って前記選択されたデータファイルを分類するための手段を有することを特徴とする装置。
【請求項１２】
請求項７記載の装置であって、さらに、
前記機能に従って再生可能でないとみなされるデータファイルを再生するためのプラグインをダウンロードするための手段を有することを特徴とする装置。
【請求項１３】
請求項１２記載の装置であって、さらに、
前記プラグインにより再生可能なコンテンツタイプ及び/または符号化フォーマットに従って前記機能を更新するための手段を有することを特徴とする装置。
【請求項１４】
請求項７記載の装置であって、
前記提供するための手段は、前記コンテンツテーブルの設計ルールを記述すためのデータファイルに格納されているコード命令を有することを特徴とする装置。
【請求項１５】
異なるコンテンツタイプ及び/または異なる符号化フォーマットを有するデータファイルを有する読取装置に挿入される情報キャリアのコンテンツをユーザに提供するためのインタフェース方法であって、
前記情報キャリアに含まれるデータファイルから、前記読取装置により再生可能なデータの符号化フォーマットとコンテンツタイプに従う選択されたデータファイル群を選択する選択ステップと、
前記選択されたデータファイル群からコンテンツテーブルを提供する提供ステップと、
を有することを特徴とする方法。
【発明の詳細な説明】
【技術分野】
【０００１】
本発明は、読取装置への挿入用の情報キャリアのコンテンツをユーザに提供するためのユーザインタフェースシステムに関する。
【０００２】
本発明は、光ディスク（ＤＶＤ）やメモリ記憶装置（ソリッドステートメモリカード、着脱可能ハードディスク）などの任意のデータファイルを格納可能な任意の情報キャリアのコンテンツを提供するのに利用されてもよい。
【背景技術】
【０００３】
マルチメディアアプリケーションの出現により、アクセス時間の短縮及び利用の容易化を図るため、同一の情報キャリアに格納される異なるコンテンツタイプ及び/または符号化フォーマット（音声：ＭＰ３/ＷＡＶなど、映像：ＭＰＥＧ−２/ＭＰＥＧ−４など、静止画：ＪＰＥＧ/ＢＭＰなど、ゲームなど）を有するデータの必要性が向上している。これは、例えば、任意のデータファイルを格納可能なＤＶＤ−ＲＯＭやＣＤ−ＲＯＭ光ディスクによるケースである。
【０００４】
このような情報キャリアのパーソナルコンピュータによる読取りは、すべてのコンテンツタイプ及び符号化フォーマットがこのような装置上で復号可能であるため、問題とはならない。しかしながら、家電機器プレーヤー上でのこのような記録キャリアの読出しは、問題を有するかもしれない。ホームプレーヤーの機能は、必ずしもすべてのデータがユーザにより読出し及び再生可能とならないように、製品ごとに異なっている。
【０００５】
ユーザは自身のホームプレーヤーの機能を必ずしも認識していないため、サポートされていないデータファイルをホームプレーヤーに再生させようとするかもしれない。例えば、音声タイプのデータファイルのみをサポートするホームプレーヤーは、映像データからなるデータファイルを再生することはできない。
【０００６】
これは、ホームプレーヤーをユーザにとって不便なものとする。
【発明の開示】
【発明が解決しようとする課題】
【０００７】
本発明の課題は、読取装置に挿入された情報キャリアの再生可能なコンテンツを定義し、ユーザに提供するためのユーザインタフェースシステムを提供することである。
【課題を解決するための手段】
【０００８】
上記課題に対し、本発明によるユーザインタフェースシステムは、
−情報キャリアに含まれるデータファイルから、データファイルを再生するための読取装置による機能に従うデータファイル群を選択する選択手段と、
−選択されたデータファイルからコンテンツテーブルをユーザに提供するための提供手段と、
を有する。
【０００９】
この選択により、読取装置の機能に適合するため、読取装置上で再生可能なデータファイル群を生成することが可能となる。このような選択されたデータファイルは、ユーザがアクセス可能なコンテンツテーブルの生成に利用される。これは、装置が対応する読取または復号化手段を備えないデータファイルを再生しようとするケースを回避する。
【００１０】
演繹により、この選択手段はまた、読取装置上で再生不可なデータファイル群を再生するため、従って、ユーザに読取装置の制約を通知するのに利用可能である。
【００１１】
ある実施例では、選択手段によるデータファイルの選択は、情報キャリアに含まれるデータファイルの符号化フォーマットと当該符号化フォーマットを再生するための読取装置の機能と比較することにより行われる。
【００１２】
ある符号化フォーマットを再生するための読取装置の機能は、サポートされる符号化フォーマットにより容易に特定されるため、データファイルの選択を符号化フォーマット（ＭＰ３、ＭＰＥＧ−２、ＷＡＶ、ＪＰＥＧ、ＭＰＥＧ−４など）に基づかせることが効果的である。
【００１３】
ある実施例では、ユーザインタフェースシステムは、コンテンツタイプに従って選択されたデータファイルを分類するための分類手段を有する。
【００１４】
コンテンツテーブルでは、この分類は、同じコンテンツタイプ（音声、映像、静止画など）を有するデータファイルをグループ化するサブ選択を生成することができる。この分類は、再生されるデータファイルのコンテンツテーブルにおいてユーザにより実行される選択を容易にする。
【００１５】
ある実施例では、ユーザインタフェースシステムは、符号化フォーマットあるいは品質基準に従って選択されたデータファイルを分類するための分類手段を有する。
【００１６】
コンテンツテーブルでは、この分類は、同一のコンテンツタイプ、すなわち、同一の符号化フォーマット（ＭＰ３，ＭＰＥＧ−２、ＷＡＶ、ＪＰＥＧ、ＭＰＥＧ−４など）、同一の品質基準（例えば、ビットレートや空間解像度に基づく）、あるいは同一の空間解像度（ＨＤＴＶ、ＶＧＡ、ＱＣＩＦなど）を有するデータファイル群からデータファイルをグループ化す売る追加的なサブ選択を生成を可能にする。この分類は、特定の基準を有するデータファイルのコンテンツテーブルにおいてユーザにより行われる選択を容易にする。
【００１７】
ある実施例では、ユーザインタフェースシステムは、情報キャリアに含まれ、読取装置の初期機能に従い再生可能とみなされないデータファイルを再生することを可能にするプラグインをダウンロードするための手段を有する。
【００１８】
インターネットなどのネットワークを介した欠落したプラグインのダウンロードでは、この追加的特徴は、読取装置の機能をアップグレードすることを可能にする。あるプラグインのダウンロードは、コンテンツテーブルが読取装置にサポートされていないデータファイルを提供するかに応じて決定されてもよい。
【００１９】
ある実施例では、提供手段は、コンテンツテーブルの設計ルールを記述するためのデータファイルに格納されているコード命令を有する。
【００２０】
このような特定のデータファイルのユーザは、例えば、ネットワークまたは情報キャリアを介した新しいファイルのダウンロードにおいて、コンテンツテーブルの設計の容易な変更を可能にする。
【００２１】
本発明はまた、上述のようなユーザインタフェースシステムを有する情報キャリアを読取るための装置に関する。
【００２２】
このような装置は、情報キャリアプレーヤーを有するＤＶＤホームプレーヤー/ライター、ＰＤＡ（Ｐｏｒｔａｂｌｅ  Ｄｉｇｉｔａｌ  Ａｓｓｉｓｔａｎｔ）、あるいは携帯電話に対応するものであってもよい。
【００２３】
本発明はまた、異なるコンテンツタイプ及び/または異なる符号化フォーマットを有するデータファイルを有する読取装置に挿入される情報キャリアのコンテンツをユーザに提供するためのインタフェース方法であって、
−前記情報キャリアに含まれるデータファイルから、前記読取装置により再生可能なデータの符号化フォーマットとコンテンツタイプに従う選択されたデータファイル群を選択する選択ステップと、
−前記選択されたデータファイル群からコンテンツテーブルを提供する提供ステップと、
を有することを特徴とする方法に関する。
【００２４】
本方法は、上述の本発明によるユーザインタフェースシステムの処理手段により実現される処理ステップ群を有する。
【００２５】
本発明の詳細な説明及び他の特徴が以下において与えられる。
【００２６】
本発明の特定の特徴が、添付された図面とともに以降において説明及び考慮される実施例を参照して説明される。この図面において、同一の部分またはサブステップは、同様に指定される。
【発明を実施するための最良の形態】
【００２７】
図１は、本発明によるユーザインタフェースシステムの一般的な実施例を示す。このユーザインタフェースシステムは、読取装置（図示せず）への挿入用の情報キャリア１０１の内容をユーザに提供するためのものである。情報キャリアは、例えば、任意のデータが格納可能な光ディスクである。
【００２８】
ユーザインタフェースシステムは、情報キャリアに含まれているデータファイル１０３からデータファイル群を選択し、読取装置によるこのようなデータファイルの再生を行う機能に従う選択手段１０２を有する。情報キャリア１０１上に含まれるデータファイル群１０３は、情報キャリアに格納される入力ＴＯＣファイル（Ｔａｂｌｅ  ｏｆ  Ｃｏｎｔｅｎｔｓ）に明示的に含まれる。あるいは、情報キャリアに含まれるデータファイル群１０３は、読取装置のファイルシステムから導出されてもよい。読取装置の機能（ＣＡＰ）１０４は、既知のものであり、例えば、記憶装置１１０に格納されている。この機能は、読取装置にサポート可能な符号化ファーマット及びデータのコンテンツタイプ、すなわち、読取装置により再生可能なデータファイルのタイプを表す。
【００２９】
選択手段１０２は、読取装置の格納されている機能１０４を考慮して、読取装置上で再生可能なコンテンツを有するデータファイル１０３からデータファイル群を選択するためのものである。特に、選択手段１０２によるデータファイルの選択は、情報キャリアに含まれているデータファイルの符号化フォーマットとこのような符号化フォーマットを再生するための読取装置の機能を比較することにより実行することができる。
【００３０】
選択手段１０２は、情報キャリア上で再生可能なデータファイルのリスト１０５と情報キャリア上で再生不可なデータファイルのリスト１０６を生成する。
【００３１】
その後、データファイル１０５と１０６のリストは、選択されたデータファイル１０５及び/または１０６から構成されたコンテンツテーブルを提供するための提供手段１０７により個別に処理される。このため、提供手段１０７は、ユーザに提供されるコンテンツテーブルの設計規則（グラフィック構成、カラーなど）を記述するための特定のデータファイルに格納されているコード命令からなる。コード命令は、読取装置に埋め込まれている信号プロセッサにより実行される。設計ルールを記述するための特定のデータファイルは、効果的には、ＸＭＬベースの言語（ＳＭＩＬ言語など）に従う。このような言語は、情報キャリアに含まれるデータファイル間の同期を定義することを可能にする。この個別データファイルは、情報キャリアからロードされてもよいし、あるいはウェブサイト（情報キャリアの制作者によりサポートされているウェブサイトなど）からダウンロードされてもよい。
【００３２】
さらに、ユーザインタフェースシステムは、データファイル１０５と１０６の各リストの内容を分類するための分類手段１１１を有する。この分類手段は、ユーザに提供される再生可能（または再生不可）なデータファイルのサブリストを定義するためのものである。特に、分類手段は、そのコンテンツタイプに従って選択されたデータファイル１０５または１０６を分類するためのものである。これは、そのコンテンツタイプ（音声、映像、静止画など）に従い分類される再生可能（または再生不可）なデータファイルのリストをユーザに提供することを可能にする。
【００３３】
さらに、分類手段は、そのコンテンツタイプに従い以前に分類されたサブリストからサブリストを定義するためのものである。特に、分類手段は、符号化フォーマットに従って選択されたデータファイル１０５または１０６を分類するためのものである。これは、同じコンテンツタイプを有するデータファイルや同じ符号化フォーマットを有するデータファイルをユーザが特定するのを可能にする。あるいは、同じコンテンツタイプを有するデータファイルはまた、解像度（ＨＤＴＶ、ＶＧＡ、ＱＣＩＦなど）やビットレートなどの品質基準に従って分類されてもよい。ユーザは、読取装置上でどのデータファイルが再生されるか選択することができる。例えば、ユーザは、最も高い解像度（ＨＤＴＶ映像など）を有する再生可能な映像データファイルを効果的に選択する。
【００３４】
好適な実施例では、ユーザインタフェースシステムは、情報キャリアに含まれ、読取装置の初期機能に従い再生不可とみなされるデータファイルを再生することを可能にするプラグイン（すなわち、ソフトウェアやライブラリなど）をダウンロードする手段（図示せず）を有する。ダウンロードされると、プラグインは読取装置に論理的に格納され、機能１０４が更新される。
【００３５】
再生不可なデータファイルの提供されたコンテンツテーブルを閲覧するとき、欠落しているプラグインがユーザのリクエストによりダウンロードされるようにしてもよい。あるいは、プラグインは、ユーザとのやりとりなしでユーザインタフェースシステムにより自動的にダウンロードされてもよい。
【００３６】
プラグインは、例えば、情報キャリアの制作者または読取装置のメーカーによりサポートされているウェブサイトからダウンロードされてもよい。
【００３７】
図２は、一例によるユーザインタフェースシステムの処理を示す。本例では、ユーザインタフェースシステムは、読取装置の機能を考慮して、読取装置に挿入される情報キャリアのコンテンツ２０１をユーザに提供するためのものである。
【００３８】
情報キャリアは、異なるコンテンツタイプ及び符号化フォーマット（映像：ＭＰＥＧ−１/ＭＰＥＧ−２/ＭＰＥＧ−４/ＤＩＶＸ、音声：ＷＡＶ/ＭＰ３、画像：ＪＰＥＧ/ＢＭＰ）を有するデータファイルを含む。読取装置の機能は、ＭＰＥＧ−２/ＭＰＥＧ−４/ＭＰ３/ＷＡＶ符号化フォーマットのみがサポートされているが、ＨＤＴＶ解像度はＭＰＥＧ−２/ＭＰＥＧ−４映像データファイルにはサポートされていないと仮定する。
【００３９】
上述の選択手段１０２は、読取装置により再生可能と考えられる第１データファイルリストを生成することを可能にする。このリスト２０２は、読取装置によりサポートされている符号化フォーマットを有するデータファイルのみを含む。
【００４０】
選択手段１０２はまた、再生不可と考えられるデータファイル２０３の第２リストを生成することを可能にする。リスト２０３は、読取装置によりサポートされていない符号化フォーマットを有するデータファイルを含む。ここで、ＭＰＥＧ−４とＭＰＥＧ−２符号化フォーマットがサポートされていても、ＨＤＴＶ解像度を有するデータファイルＭＰＥＧ−４（２）とＭＰＥＧ−２（２）は再生可能とは考えられていない。
【００４１】
上述の分類手段は、データファイル２０２のリストからサブリスト、すなわち、同一のコンテンツタイプ（すなわち、ＨＤＴＶ解像度を持たない映像コンテンツタイプ）のデータファイルを収集したサブリスト２０４と、同一のコンテンツ（すなわち、音声コンテンツタイプ）のデータファイルを収集したサブリスト２０５を生成するのを可能にする。
【００４２】
同様に、分類手段は、データファイル２０３のリストからサブリスト、すなわち、同一のコンテンツタイプ（すなわち、ＨＤＴＶ解像度を有する映像コンテンツタイプ）のデータファイルを収集したサブリスト２０８と、同一のコンテンツタイプ（すなわち、画像コンテンツタイプ）のデータファイルを収集したサブリスト２０６と、同一のコンテンツタイプ（すなわち、映像コンテンツタイプ）のデータファイルを収集したサブリスト２０７とを生成することを可能にする。
【００４３】
分類手段はまた、データファイル２０６のリストからサブリスト、すなわち、同一の符号化フォーマット（すなわち、ＪＰＥＧ符号化フォーマット）のデータファイルを収集するサブリスト２１２と、同一の符号化フォーマット（すなわち、ＢＭＰ符号化フォーマット）のデータファイルを収集したサブリスト２１０とを生成することを可能にする。
【００４４】
同様に、分類手段はまた、データファイル２０７のリストからサブリスト、すなわち、同一の符号化フォーマット（すなわち、ＤＩＶＸ符号化フォーマット）のデータファイルを収集したサブリスト２１１と、同一の符号化フォーマット（すなわち、ＭＰＥＧ−１符号化フォーマット）のデータファイルを収集したサブリスト２０９を生成することを可能にする。
【００４５】
ユーザに提供されるコンテンツテーブルの異なる表示レベルは、ユーザインタフェースシステムにより生成される。提供されると、与えられたサブリストからのデータファイルは、例えば、歌手の名前、歌の題名、映画の題名あるいは画像の名前により特定される。
【００４６】
さらに、ユーザインタフェースシステムは、提供されたコンテンツテーブルにおけるブラウジングのための相互作用手段と、コンテンツテーブルの定義基準を定義するための相互作用手段とを有する。従って、サブリスト２０２に従って、あるいはサブリスト２０４および２０５の分類に従って提供される再生可能データファイルのコンテンツテーブルを選択することができる。ユーザはまた、対応する符号化フォーマットの再生を可能にする欠落したプラグインをダウンロードするリクエストが生成されるように、サブリスト２０８〜２１２の１以上を選択するようにしてもよい。
【００４７】
編集により、情報キャリアに含まれる与えられたデータファイルは、異なるコンテンツタイプ及び符号化フォーマットのデータファイルを有するようにしてもよい。例えば、１つの映像データファイルは、ＭＰ３音声がＭＰＥＧ−２映像とともに再生されるように（映像により多重化された音声を取り替える）、ＭＰＥＧ−２映像とＭＰ３音声を合成するようにしてもよい。同様に、静止画像のシーケンスは、静止画が表示されるのに従って音声が再生されるように、音声ファイルと合成することができる。
【００４８】
さらに、これらの合成されたデータファイルに対し、ユーザインタフェースは、データファイルを基本タイプにマッピングするための処理手段を有する。これにより、音声と映像の両方を含むタイトルが映像として処理され、音声と静止画を含むタイトルが映像としてみなされるようにしてもよい。
【００４９】
読取装置によりサポートされていないコンテンツ部分の合成されたタイトルは、ユーザが再生可能なコンテンツと読取装置によりサポートされていないコンテンツを閲覧できるように、提供されたコンテンツテーブルにおいて特定されるべきである。
【００５０】
合成されたコンテンツタイトルの分類は、一部がサポートされていない場合には変更されてもよい。例えば、音声と静止画を有するタイトルは、静止画フォーマットがサポートされていない場合には音声タイトルとなる。
【００５１】
本発明によるユーザインタフェースシステムは、例えば、光ディスク（ＤＶＤ）やメモリ記憶装置（ソリッドステートメモリカード、着脱可能ハードディスク）を読み取るための情報キャリア読取装置（ＤＶＤホームプレーヤー/ライター、ＰＤＡ、携帯電話など）において実現されてもよい。
【００５２】
ユーザインタフェースシステムは、ハードウェア要素（配線電子回路、メモリ、信号プロセッサなど）により、あるいは記憶装置に格納され、信号プロセッサにより実行されるコード命令を有するコンピュータプログラムなどのソフトウェア要素により実現されてもよい。
【図面の簡単な説明】
【００５３】
【図１】図１は、本発明によるユーザインタフェースシステムの一般的な実施例を示す。
【図２】図２は、本発明による一例となるユーザインタフェースシステムの処理を示す。
【図１】
2006506882.tif 000003
【図２】
2006506882.tif 000004
【国際調査報告】
2006506882.tif 000005
2006506882.tif 000006